(57)【要約】【課題】システムキッチンの給排水接続を要するキャビネットの接続作業や点検作業がやりやすく見栄えの良いものを低コストで提供する。【解決手段】側板７の後端部に背板８と下桟９を備え、前記下桟９には１あるいは複数の溝およびリブを有する接合桟１０固定し、前記接合桟１０の溝に背板８の下端部を挿入固定し、側板７の下部には、前記側板７より奥行きの短い底板１１を備え、前記背板８と前記底板１１との間に全幅にわたり点検開口１２を形成し、前記接合桟１０と前記底板１１の後端部で点検蓋１３を着脱自在に保持し、前記点検開口１２を閉塞した構成のキッチン用キャビネット。【選択図】　図２
2004065555.tif 000002
【特許請求の範囲】
【請求項１】
側板の後端部に背板と下桟を備え、前記下桟には１あるいは複数の溝およびリブを有する接合桟を固定し、前記接合桟の溝に前記背板の下端部を挿入固定し、側板の下部には、前記側板より奥行きの短い底板を備え、前記背板と前記底板との間に全幅にわたり点検開口を形成し、前記接合桟と前記底板の後端部で点検蓋を着脱自在に保持し、前記点検開口を閉塞した構成のキッチン用キャビネット。
【請求項２】
点検蓋の後端部に略Ｌ字状に形成した固定片を備え、接合桟の溝に着脱自在に係合したキッチン用キャビネット。
【請求項３】
点検開口の両側部を複数の点検蓋で閉塞し中央部に排水開口を形成し、前記排水開口は中央部に開口穴を有する排水プレートで閉塞し、前記排水プレートは着脱自在でかつ左右に移動可能なキッチン用キャビネット。
【請求項４】
底板後端部に起立する補助背板を設け、前記補助背板の上面と略等しい高さに接合桟を設けたキッチン用キャビネット。
【発明の詳細な説明】
【０００１】
【発明の属する技術分野】
本発明はシステムキッチン等の給排水接続を要するキャビネットに関するものである。
【０００２】
【従来の技術】
従来、この種のキッチン用キャビネットとしては、例えば、図５に示すように底板１に背板２、背板後部３が固定され、底板１の後方部に幅方向略全長に開口部４を設け、開口部４を塞ぐ切断加工容易な材料で取り外し自在とする蓋部５を取付ビス６または両面テープで固定する構成になっていた。
【０００３】
【発明が解決しようとする課題】
しかしながら、前記従来の構成では、蓋部５を取付ビス６で固定しているので外観が良くなく、また両面テープで固定している場合は取り外しに不便という課題を有していた。
【０００４】
本発明は、前記従来の課題を解決するもので、キッチンの給配水管の接続作業をおこなったり点検作業をおこなうための点検開口および点検開口を隠蔽するための蓋を低コストで外観性能の良いものを提供することを目的とする。
【０００５】
【課題を解決するための手段】
前記従来の課題を解決するために、本発明のキッチン用キャビネットは、側板の後端部に背板と下桟を備え、前記下桟には１あるいは複数の溝およびリブを有する接合桟を固定し、前記接合桟の溝に前記背板の下端部を挿入固定し、側板の下部には、前記側板より奥行きの短い底板を備え、前記背板と前記底板との間に全幅にわたり点検開口を形成し、前記接合桟と前記底板の後端部で点検蓋を着脱自在に保持し、前記点検開口を閉塞した構成としたものである。
【０００６】
これによって、下桟に固定された接合桟の溝に背板を挿入固定することにより、背板と下桟は全幅に渡り確実に接合され、しかも同時に点検蓋後部の保持部も形成され、底板後端部との間に点検蓋を差し渡すことにより、点検開口全面を隠蔽することが可能となる。
【０００７】
【発明の実施の形態】
請求項１に記載の発明は側板の後端部に背板と下桟を備え、前記下桟には１あるいは複数の溝およびリブを有する接合桟を固定し、前記接合桟の溝に前記背板の下端部を挿入固定し、側板の下部には、前記側板より奥行きの短い底板を備え、前記背板と前記底板との間に全幅にわたり点検開口を形成し、前記接合桟と前記底板の後端部で点検蓋を着脱自在に保持し、前記点検開口を閉塞した構成とすることにより、下桟に固定された接合桟の溝に背板を挿入固定することができるので、背板と下桟は全幅に渡り確実に接合され、しかも同時に点検蓋後部の保持部も形成され、底板後端部との間に点検蓋を差し渡すことができ、点検開口前面を隠蔽することなり、接合桟を介して下桟と背板を強固かつ確実に接合できるとともに、点検蓋の保持部を見栄えよく低コストで形成することができる。
【０００８】
請求項２に記載の発明は点検蓋の後端部に略Ｌ字状に形成した固定片を備え、接合桟の溝に着脱自在に係合した構成とすることにより、接合桟の溝に点検蓋の固定片を係合して点検開口を確実に閉塞することとなり、点検蓋が確実に固定され、点検蓋の密閉度を高めることができ、キャビネット内への埃や害虫の進入を防止することができるとともに、点検蓋と背板が直角に組み合わさった状態で接合されるため、背板および点検蓋の強度を増すことができる。することができる。
【０００９】
請求項３に記載の発明は点検開口の両側部を複数の点検蓋で閉塞し中央部に排水開口を形成し、前記排水開口は中央部に開口穴を有する排水プレートで閉塞し、前記排水プレートは着脱自在でかつ左右に移動可能な構成とすることにより、点検開口の一部を点検蓋で閉塞し、残りの部分は排水プレートで閉塞し、排水プレートは配水管の位置に会わせて左右に移動可能となり配水管の位置に会わせて、排水プレートを調整できるため、設置工事が簡単にすることができる。
【００１０】
請求項４に記載の発明は底板後端部に起立する補助背板を設け、前記補助背板の上面と略等しい高さに接合桟を設けた構成とすることにより、補助背板上面と接合桟に点検蓋を差し渡して閉塞することにより、点検蓋下部に高さの高い空間が形成されることとなり、給排水管を高い位置で取り出す場合に、被助背板と点検蓋で構成される空間で配管接続が容易にでき、しかの隠蔽できるため見栄えをよくすることができる。
【００１１】
【実施例】
以下本発明の実施例について、図面を参照しながら説明する。
【００１２】
（実施例１）
図１は本発明の実施例１のキッチン用キャビネットを示す斜視図で、図２は要部を示す断面図である。
【００１３】
２枚の側板７の後端部間には背板８と下桟９が配設され、下桟９の下面にビス等で固定された接合桟１０には背板溝１０ａが形成されており、背板８の下端部が全幅にわたり挿入され、強固に固定されている。
【００１４】
側板７の下部間には、側板７の奥行より短い底板１１が配設され、背板８と底板１１の後端部との間に全幅にわたり点検開口１２が開口されている。
【００１５】
点検開口１２は樹脂などの切断加工が容易な材料で形成された着脱自在な点検蓋１３を、底板１１の後端部と接合桟１０の係止部１０ｂ間に差し渡して閉塞されている。
【００１６】
点検蓋１３の下面には前後一対の係止片１３ａ形成されており、底板１１の後端部と接合桟１０の係止部１０ｂに係止して点検蓋１３が不用意に外れることを防ぐ構成である。
【００１７】
次に、動作、作用について説明すると、上記構成の点検蓋１３は着脱自在で、切断加工が容易な材料で形成されているため、キッチンの給排水管の接続工事を行う場合は、点検蓋１３を取り外して工事を容易に行うことができ、また、給排水管の取り出し用の開口穴が必要な場合でも、容易に開口穴を開けることができる。また、設置工事後の点検やメンテナンスも点検蓋１３を開けて容易に行うことができる。
【００１８】
（実施例２）
図３は本発明の実施例２のキッチン用キャビネットの点検開口１２部分を示す断面図である。
【００１９】
図３において、点検蓋１３の後端部には、略直角に折れ曲がった固定片１３ｂが全幅に渡り形成されており、接合桟１０の固定溝１０ｃ嵌入固定される構成である。
【００２０】
なお図２に示した実施例１と同じ構成要素には同一の符号を付与し説明を省略する。
【００２１】
接合桟１０の固定溝１０ｃに点検蓋１３の固定片１３ｂを嵌入することにより、点検開口１２を確実に閉塞することができ、が直角に組み合わさった状態で接合されるため、点検蓋１３と背板８相互の強度を増すことができる。
【００２２】
（実施例３）
図４は本発明の実施例３のキッチン用キャビネットを示す斜視図である。
【００２３】
図において、点検蓋１３は複数に分割されており、点検蓋１３の幅寸法の合計は点検開口１２の幅より短く、全ての点検蓋１３を設置した状態で一部に排水開口１４が開口する。排水開口１４は中央部に開口穴を有する排水プレート１５で閉塞し、排水プレート１５は着脱自在でかつ左右に移動可能な構成である。
【００２４】
なお図１に示した実施例１と同じ構成要素には同一の符号を付与し説明を省略する。
【００２５】
排水プレート１５は配水管の位置に会わせて左右に移動可能となり配水管の位置に会わせて、排水プレート１５を調整できるため、設置工事が簡単にすることができる。
【００２６】
（実施例４）
図５は本発明の実施例４のキッチン用キャビネットを示す要部断面図である。
【００２７】
図５において、底板１１の後端部に補助背板１６を設け、補助背板１６の上面と略等しい高さに接合桟１０を配設し、補助背板１６上面と接合桟１０に点検蓋１３を差し渡して閉塞した構成である。
【００２８】
なお図２に示した実施例１と同じ構成要素には同一の符号を付与し説明を省略する。
【００２９】
点検蓋１３下部に高さの高い空間が形成されることとなり、給排水管を高い位置で取り出す場合に、被助背板１６と点検蓋１３で構成される空間で配管接続が容易にでき、しかの隠蔽できるため見栄えをよくすることができる。
【００３０】
【発明の効果】
以上のように、請求項１から４のいずれか一項記載の発明によれば、接合桟を介して下桟と背板を接合することにより、強固かつ確実に接合できるとともに点検蓋の保持部を見栄えよく低コストで形成することができる。することができる。
【図面の簡単な説明】
【図１】本発明の実施例１におけるキッチン用キャビネットの斜視図
【図２】本発明の実施例１におけるキッチン用キャビネットの要部断面図
【図３】本発明の実施例２におけるキッチン用キャビネットの要部断面図
【図４】本発明の実施例３におけるキッチン用キャビネットの斜視図
【図５】本発明の実施例４におけるキッチン用キャビネットの要部断面図
【図６】従来のキッチン用キャビネットの要部断面図
【符号の説明】
７　側板
８　背板
９　下桟
１０　接合桟開口部
１１　底板
１２　点検開口
１３　点検蓋
１４　排水開口
１５　排水プレート
１６　補助背板
【図１】
2004065555.tif 000003
【図２】
2004065555.tif 000004
【図３】
2004065555.tif 000005
【図４】
2004065555.tif 000006
【図５】
2004065555.tif 000007
【図６】
2004065555.tif 000008